(57)【特許請求の範囲】
【請求項１】
楽曲データが記録された再生対象媒体を高速再生し、再生した楽曲データを記録対象媒体に高速録音する録音再生装置であって、
一定時間内に高速録音を行った再生対象媒体を識別するための情報及び、録音を行った再生対象媒体における個々の楽曲データ又は全楽曲データを特定するための情報を記憶する記憶手段と、
高速録音の対象となる再生対象媒体における任意の楽曲データ又は全楽曲データを選択する選択手段と、
前記記憶手段に記憶された情報と、今回高速録音を行う再生対象媒体を識別するための情報及び、前記選択手段に選択された楽曲データとを比較し、対象となる任意の楽曲データ又は全楽曲データが録音禁止状態であるか否かを判別する判別手段と、
前記判別手段が録音禁止状態でないと判別した場合に、高速再生した対象の楽曲データを高速録音する録音制御手段と、
前記録音制御手段が今回録音を行った再生対象媒体を識別するための情報及び、録音を行った任意の楽曲データ又は全楽曲データを特定するための情報を、前記記憶手段に追加して記憶させる記憶制御手段と、
を備えることを特徴とする録音再生装置。
【請求項２】
前記記憶手段は、楽曲データに規定された高速録音が禁止される残り時間を示す残時間情報を更に記憶し、
前記記憶制御手段は、前記記憶手段に記憶された残時間情報を所定のタイミング毎に更新し、更新後の残時間情報が所定の値になった際に、対象の情報を前記記憶手段から消去する、
ことを特徴とする請求項１に記載の録音再生装置。
【請求項３】
楽曲データが記録された再生対象媒体を高速再生し、再生した楽曲データを記録対象媒体に高速録音する高速録音方法であって、
高速録音を行った再生対象媒体を識別するための情報及び、高速録音を行った個々の楽曲データ又は全楽曲データを特定するための情報を、所定の記憶部に追加して格納する格納ステップと、
高速録音の対象となる再生対象媒体における任意の楽曲データ又は全楽曲データを選択する選択ステップと、
前記格納ステップにて記憶部に記憶された情報と、今回高速録音を行う再生対象媒体を識別するための情報及び、前記選択ステップにて選択された楽曲データとを比較し、対象となる任意の楽曲データ又は全楽曲データが録音禁止状態であるか否かを判別する判別ステップと、
前記判別ステップにて録音禁止状態でないと判別された場合に、高速再生した対象の楽曲データを高速録音する録音制御ステップと、
を備えることを特徴とする高速録音方法。
【請求項４】
楽曲データが記録された再生対象媒体を高速再生し、再生した楽曲データを記録対象媒体に高速録音する高速録音方法をコンピュータに実行させるためのプログラムを記録した記録媒体であって、
高速録音を行った再生対象媒体を識別するための情報及び、高速録音を行った個々の楽曲データ又は全楽曲データを特定するための情報を、所定の記憶部に追加して格納する格納ステップと、高速録音の対象となる再生対象媒体における任意の楽曲データ又は全楽曲データを選択する選択ステップと、前記格納ステップにて記憶部に記憶された情報と、今回高速録音を行う再生対象媒体を識別するための情報及び、前記選択ステップにて選択された楽曲データとを比較し、対象となる任意の楽曲データ又は全楽曲データが録音禁止状態であるか否かを判別する判別ステップと、前記判別ステップにて録音禁止状態でないと判別された場合に、高速再生した対象の楽曲データを高速録音する録音制御ステップと、を有する高速録音方法をコンピュータに実行させるためのプログラムを記録したコンピュータ読み取り可能な記録媒体。
【発明の詳細な説明】
【０００１】
【発明の属する技術分野】
この発明は、高速再生した楽曲データを所定の記録媒体に高速録音する録音再生装置に関し、特に、著作権等の保護を楽曲データ毎に図りつつ、各楽曲データを適切に高速録音することのできる録音再生装置、高速録音方法及び記録媒体に関する。
【０００２】
【従来の技術】
従来より、ＣＤ（コンパクトディスク）等を再生して得られる楽曲データ（音声信号）を、ＭＤ（ミニディスク）等に録音することのできる録音再生装置が知られている。
このような録音再生装置は、例えば、ＣＤ再生機構とＭＤ録音機構とが一つの装置内に設けられており、それぞれ制御マイコンにより制御される。そして、録音再生装置は、ＣＤ再生機構にて再生されるＣＤの楽曲データを、音質等の劣化をほとんど生じさせることなくＭＤ録音機構にて記録対象のＭＤに録音することができる。また、ＭＤに録音した後に、楽曲データの入れ替え等の編集も容易であるため、このような録音再生装置は、広く利用されている。
【０００３】
近年では、ＣＤ再生機構にて高速に再生（高速再生；例えば、倍速再生）した楽曲データを、ＭＤ録音機構にて高速に録音（高速録音；例えば、倍速録音）することのできる録音再生装置も知られている。このような録音再生装置は、録音に要する時間を短縮でき、同じ時間内により多くの楽曲データを録音できる。
このような高速録音が可能な録音再生装置は、原則として、レインボーブック（ＭＤ規格書）等に基づいて、著作権等の保護を実現している。例えば、録音再生装置は、一度、ＣＤからＭＤに所定の楽曲データを高速録音した後に、同じディスク（ＣＤ）からの再度の高速録音を一定時間（例えば、７４分間）禁止している。すなわち、録音再生装置は、高速録音時における著作権保護をディスク毎に行っていた。
このディスク毎の著作権保護は、同じディスクから他の楽曲データを高速録音する場合でも、一定時間が経過しないと録音を許可しないため、利用者にとって不便であった。この点を考慮して、最近では、ディスク毎に著作権保護を行うのではなく、トラック（楽曲データ）毎に著作権保護を行う録音再生装置も知られている。
【０００４】
このようなトラック毎に著作権保護を行う録音再生装置は、一般に、ＣＤにおいて楽曲データ毎に個別に付加された内部データを使用して、高速録音を行った楽曲データを管理している。具体的に、録音再生装置は、Ｑコード内のＩＳＲＣ（International Standard Recording Code）情報やＴＥＸＴ情報等を使用して高速録音した楽曲データを識別し、一定時間内における同じ楽曲データの高速録音を禁止している。
これにより、利用者は、同じディスクから他の楽曲データを高速録音する場合等に、著作権等の保護に反することなく、一定時間が経過するのを待たずに、録音再生装置にて高速録音を行うことができる。
【０００５】
【発明が解決しようとする課題】
しかしながら、上述するような録音再生装置では、トラック毎の著作権保護を実際に実現できない場合があった。これは、ＩＳＲＣ情報やＴＥＸＴ情報等が、全てのＣＤに付加されているとは限らないことに起因している。
すなわち、ＩＳＲＣ情報等が付加されたＣＤを使用して高速録音する場合には、トラック毎の著作権保護を行うことができるが、ＩＳＲＣ情報等が付加されていないＣＤを使用して高速録音する場合には、楽曲データが識別できないため、トラック毎の著作権保護を実現できないこととなる。
このため、従来の録音再生装置は、ＩＳＲＣ情報等が付加されていないＣＤを使用して高速録音する場合に、結局、上述したディスク毎の著作権保護を行うしかなかった。
【０００６】
この発明は、上記実状に鑑みてなされたもので、著作権等の保護を楽曲データ毎に図りつつ、各楽曲データを適切に高速録音することのできる録音再生装置、高速録音方法及び記録媒体を提供することを目的とする。
【０００９】
【課題を解決するための手段】
上記目的を達成するため、本発明の第１の観点に係る録音再生装置は、
楽曲データが記録された再生対象媒体を高速再生し、再生した楽曲データを記録対象媒体に高速録音する録音再生装置であって、
一定時間内に高速録音を行った再生対象媒体を識別するための情報及び、録音を行った再生対象媒体における個々の楽曲データ又は全楽曲データを特定するための情報を記憶する記憶手段と、
高速録音の対象となる再生対象媒体における任意の楽曲データ又は全楽曲データを選択する選択手段と、
前記記憶手段に記憶された情報と、今回高速録音を行う再生対象媒体を識別するための情報及び、前記選択手段に選択された楽曲データとを比較し、対象となる任意の楽曲データ又は全楽曲データが録音禁止状態であるか否かを判別する判別手段と、
前記判別手段が録音禁止状態でないと判別した場合に、高速再生した対象の楽曲データを高速録音する録音制御手段と、
前記録音制御手段が今回録音を行った再生対象媒体を識別するための情報及び、録音を行った任意の楽曲データ又は全楽曲データを特定するための情報を、前記記憶手段に追加して記憶させる記憶制御手段と、
を備えることを特徴とする。
【００１１】
前記記憶手段は、楽曲データに規定された高速録音が禁止される残り時間を示す残時間情報を更に記憶し、
前記記憶制御手段は、前記記憶手段に記憶された残時間情報を所定のタイミング毎に更新し、更新後の残時間情報が所定の値になった際に、対象の情報を前記記憶手段から消去してもよい。
【００１２】
上記目的を達成するため、本発明の第２の観点に係る高速録音方法は、
楽曲データが記録された再生対象媒体を高速再生し、再生した楽曲データを記録対象媒体に高速録音する高速録音方法であって、
高速録音を行った再生対象媒体を識別するための情報及び、高速録音を行った個々の楽曲データ又は全楽曲データを特定するための情報を、所定の記憶部に追加して格納する格納ステップと、
高速録音の対象となる再生対象媒体における任意の楽曲データ又は全楽曲データを選択する選択ステップと、
前記格納ステップにて記憶部に記憶された情報と、今回高速録音を行う再生対象媒体を識別するための情報及び、前記選択ステップにて選択された楽曲データとを比較し、対象となる任意の楽曲データ又は全楽曲データが録音禁止状態であるか否かを判別する判別ステップと、
前記判別ステップにて録音禁止状態でないと判別された場合に、高速再生した対象の楽曲データを高速録音する録音制御ステップと、
を備えることを特徴とする。
【００１４】
上記目的を達成するため、本発明の第３の観点に係る記録媒体は、
楽曲データが記録された再生対象媒体を高速再生し、再生した楽曲データを記録対象媒体に高速録音する高速録音方法をコンピュータに実行させるためのプログラムを記録した記録媒体であって、
高速録音を行った再生対象媒体を識別するための情報及び、高速録音を行った個々の楽曲データ又は全楽曲データを特定するための情報を、所定の記憶部に追加して格納する格納ステップと、高速録音の対象となる再生対象媒体における任意の楽曲データ又は全楽曲データを選択する選択ステップと、前記格納ステップにて記憶部に記憶された情報と、今回高速録音を行う再生対象媒体を識別するための情報及び、前記選択ステップにて選択された楽曲データとを比較し、対象となる任意の楽曲データ又は全楽曲データが録音禁止状態であるか否かを判別する判別ステップと、前記判別ステップにて録音禁止状態でないと判別された場合に、高速再生した対象の楽曲データを高速録音する録音制御ステップと、を有する高速録音方法をコンピュータに実行させるためのプログラムを記録する。
【００１５】
【発明の実施の形態】
本発明の実施の形態にかかる録音再生装置について、以下図面を参照して説明する。
【００１６】
図１は、この発明の実施の形態に適用される録音再生装置の一例を示すブロック図である。図１に示す録音再生装置１は、例えば、ＣＤ（コンパクトディスク）を高速再生し、得られた楽曲データをＭＤ（ミニディスク）に高速録音することのできる機器であって、処理制御部１１と、信号処理回路１２と、ＭＤ用サーボ回路１３と、ＭＤ用光ピックアップ１４と、ＣＤ用光ピックアップ１５と、ＣＤ用サーボ回路１６と、タイマ１７と、キー入力部１８と、表示部１９と、メモリ２０と、磁気ヘッドドライバ２１と、ＤＡＣ２２とを含んで構成される。
【００１７】
処理制御部１１は、ＣＰＵ（Central Processing Unit）及び周辺ＬＳＩ（Large Scale Integration）を含んだ１チップマイコン等からなり、録音再生装置１全体を制御する。
すなわち、処理制御部１１は、ＣＤ用光ピックアップ１５及びＣＤ用サーボ回路１６等を制御してＣＤを高速再生し、得られた楽曲データを、磁気ヘッドドライバ２１等を介してＭＤに高速録音する。
【００１８】
その際、処理制御部１１は、録音対象のＣＤの楽曲データ（トラック）が、高速録音禁止状態であるか否かを判別し、著作権等の保護を図りつつ、禁止状態でない楽曲データを適切に高速録音する。具体的に、処理制御部１１は、後述するメモリ２０に記憶した録音管理テーブルを使用して楽曲データ毎に録音禁止状態を管理する。そして、録音管理テーブルにて管理対象でない（一定時間内に高速録音をおこなっていない）楽曲データだけに対し、高速録音を許可する。
【００１９】
信号処理回路１２は、ＭＤ用サーボ回路１３、ＭＤ用光ピックアップ１４、ＣＤ用光ピックアップ１５、ＣＤ用サーボ回路１６及び、磁気ヘッドドライバ２１等を制御する。例えば、信号処理回路１２は、ＣＤ用光ピックアップ１５等を制御してＣＤを高速再生して楽曲データを読み出し、磁気ヘッドドライバ２１等を制御して、ＭＤに楽曲データを高速記録する。
【００２０】
ＭＤ用サーボ回路１３は、記録媒体であるＭＤを搭載する所定のターンテーブルを回転させるための図示せぬスピンドルモータを駆動制御し、所定の回転速度で回転駆動させる。
また、ＭＤ用サーボ回路１３は、ＭＤ用光ピックアップ１４をＭＤの径方向に平行移動させるための図示せぬスレッドモータを駆動制御し、ＭＤ用光ピックアップ１４をＭＤの記録面上の所定位置に移動させる。
【００２１】
ＭＤ用光ピックアップ１４は、楽曲データの録音時に、レーザ光をＭＤの記録面に向けて照射し、キュリー点以上になるまで加熱する。
また、ＭＤ用光ピックアップ１４は、楽曲データの再生時に、所定の波長のレーザ光をＭＤの記録面に向けて照射し、その反射光を受けて電気信号に変換する。ＭＤ用光ピックアップ１４は、変換した電気信号を楽曲データ等として信号処理回路１２に供給する。
【００２２】
ＣＤ用光ピックアップ１５は、所定の波長のレーザ光をＣＤの記録面に向けて照射し、その反射光を受けて電気信号に変換する。そして、変換した電気信号を楽曲データ等として信号処理回路１２に供給する。
【００２３】
ＣＤ用サーボ回路１６は、記録媒体であるＣＤを搭載するターンテーブルを回転させるためのスピンドルモータを駆動制御し、所定の回転速度で回転駆動させる。また、ＣＤ用サーボ回路１６は、ＣＤ用光ピックアップ１５をＣＤの径方向に平行移動させるためのスレッドモータを駆動制御し、ＣＤ用光ピックアップ１５をＣＤの記録面上の所定位置に移動させる。
【００２４】
タイマ１７は、インターバルタイマ等からなり、処理制御部１１に制御され、例えば、１分毎に所定の信号を生成して処理制御部１１に供給する。
【００２５】
キー入力部１８は、所定のボタンスイッチやロータリスイッチ等からなり、利用者の操作に従った指示情報等を入力し、入力した情報を処理制御部１１に供給する。例えば、キー入力部１８は、高速録音を指示する情報を処理制御部１１に供給すると共に、高速録音の対象となる楽曲データを選択するためのトラック番号を入力して処理制御部１１に供給する。
【００２６】
表示部１９は、ＬＣＤ（Liquid Crystal Display）パネル等からなり、処理制御部１１に制御され、操作状況等を利用者に明らかにするための文字列等を表示する。例えば、表示部１９は、高速録音中のトラック番号を表示したり、所定の楽曲データに対する録音禁止状態が解除されるまでの残時間等を表示する。
【００２７】
メモリ２０は、不揮発性ＲＡＭ（Random Access Memory）等からなり、例えば、図２（ａ）に示すような録音管理テーブル３１等の情報を記憶する。
図２（ａ）に示す録音管理テーブル３１は、高速録音が一定時間禁止されている楽曲データ（禁止状態の楽曲データ）をトラック毎に管理するためのテーブルであり、最小Ｔｎｏ、最大Ｔｎｏ、Ｔｏｔａｌ（分）、Ｔｏｔａｌ（秒）、禁止Ｔｎｏ、及び、禁止（分）等の情報から構成される。
【００２８】
図中の最小Ｔｎｏ及び最大Ｔｎｏは、禁止状態の楽曲データが記録されているＣＤの最小トラック番号及び、最大トラック番号を示す情報である。
また、Ｔｏｔａｌ（分）及び、Ｔｏｔａｌ（秒）は、禁止状態の楽曲データが記録されているＣＤの総再生時間（分及び秒）を示す情報である。
なお、これら最小Ｔｎｏ〜Ｔｏｔａｌ（秒）は、ＣＤを識別するための情報として使用される。つまり、ＣＤに記録されている楽曲数（トラック数）及び総再生時間が、原則としてＣＤ毎にそれぞれ異なっているため、これらの情報がＣＤを識別するために使用される。
具体的には、図中の「禁止１」及び「禁止３」においてａ１及びａ２にて示されるこれらの情報は、共に、楽曲数が「０１（最小）−２０（最大）」で、総再生時間が「６５分２８秒」となっているため、同じＣＤであると識別される。
【００２９】
また、禁止Ｔｎｏは、禁止状態の楽曲データのＣＤ中におけるトラック番号を示す情報である。なお、図中の「禁止２」においてｂ１にて示される「ＡＡ」は、全曲（全トラック）が高速録音されていることを示す。
そして、禁止（分）は、禁止状態の楽曲データが録音可能となるまでの残り時間（分）を示す情報である。なお、この禁止（分）は、例えば、処理制御部１１により初期値として「７４」（７４分）がセットされ、１分ごとに１ずつ減算される。そして、禁止（分）の値が「０」となった際に、処理制御部１１により、対象の楽曲データに関する情報（上述の最小Ｔｎｏ〜禁止（分）の情報）が消去される。
【００３０】
具体的には、図２（ｂ）に示すように、時間の経過に伴って「禁止１」の禁止（分）の値が「０」となった際に、「禁止２」以降の情報が順に左（「禁止１」方向）にシフトされることにより、元の「禁止１」の情報が消去される。すなわち、楽曲数が「０１（最小）−２０（最大）」で、総再生時間が「６５分２８秒」であるＣＤのトラック番号「０６」の楽曲データが録音管理テーブル３１から消去され、そして、この楽曲データの禁止状態が解除される。
なお、図中の「空き」は、例えば、「ＦＦ」等の値がセットされるものとする。
【００３１】
図１に戻って、磁気ヘッドドライバ２１は、図示せぬ磁気ヘッドを制御する。すなわち、磁気ヘッドドライバ２１は、録音動作時に、磁気ヘッドを制御し、ＭＤ用光ピックアップ１４によりキュリー点以上にまで加熱されたＭＤの記録面の所定箇所を磁化することにより、楽曲データをＭＤに記録する。
【００３２】
ＤＡＣ（デジタル／アナログコンバータ）２２は、信号処理回路１２から供給されたデジタルの楽曲データをアナログの楽曲信号に変換し、変換した楽曲信号を所定のアンプ及びスピーカ等を介して音声（楽曲音）として出力する。
【００３３】
以下、この発明の実施の形態にかかる録音再生装置１の動作について図３を参照して説明する。図３は、処理制御部１１等が実行する高速録音処理を説明するためのフローチャートである。
なお、図３に示す高速録音処理は、利用者により再生対象のＣＤ及び録音可能なＭＤが録音再生装置１に装填された後に開始される。
【００３４】
まず、処理制御部１１は、高速録音指示が入力されるまで、後続の処理を待機する（ステップＳ１１）。すなわち、処理制御部１１は、キー入力部１８を介して、高速録音の開始を指示するための情報が入力されるまで、後続処理の実行を待機する。
【００３５】
高速録音指示が入力されると、処理制御部１１は、ＴＯＣ（Table Of Contents）情報を取得済みか否かを判別する（ステップＳ１２）。すなわち、処理制御部１１は、再生対象のＣＤからＴＯＣ情報を読み出し済みであるか否かを判別する。
そして、処理制御部１１は、ＴＯＣ情報を取得していないと判別した場合にだけ、再生対象のＣＤからＴＯＣ情報を読み出す（ステップＳ１３）。
【００３６】
処理制御部１１は、読み出したＴＯＣ情報に含まれる最小・最大Ｔｎｏ及びＴｏｔａｌ時間を使用して、録音管理テーブル３１を検索する（ステップＳ１４）。すなわち、ＣＤを識別するための最小Ｔｎｏ、最大Ｔｎｏ、Ｔｏｔａｌ（分）、及びＴｏｔａｌ（秒）を使用して、同一の情報を録音管理テーブル３１から検索する。
【００３７】
処理制御部１１は、検索により同一の情報が存在したか否かを判別する（ステップＳ１５）。すなわち、処理制御部１１は、同じＣＤから何れかの楽曲データが高速録音され、録音管理テーブル３１の何れかの禁止エリア（禁止１〜禁止ｎ）に禁止状態の楽曲データを示す情報がセットされているか否かを判別する。
【００３８】
処理制御部１１は、同一の情報が存在しないと判別した場合、後述するステップＳ１９に処理を進める。一方、同一の情報が存在したと判別した場合、処理制御部１１は、対象の禁止エリアの禁止Ｔｎｏに全曲録音を示す値がセットされているか否かを判別する（ステップＳ１６）。すなわち、検索された同一の情報がセットされている禁止エリアの禁止Ｔｎｏに全曲録音を示す「ＡＡ」がセットされているか否かを判別する。
【００３９】
禁止Ｔｎｏに全曲録音を示す値がセットされていない（任意のトラック番号がセットされている）と判別した場合、処理制御部１１は、Ｔｎｏが一致するか否かを判別する（ステップＳ１７）。すなわち、今回高速録音しようとする楽曲データのトラック番号と禁止Ｔｎｏにセットされている値とが一致するか否かを判別する。
【００４０】
Ｔｎｏが一致すると判別した場合、又は、ステップＳ１６にて全曲録音を示す値が禁止Ｔｎｏにセットされていたと判別した場合に、処理制御部１１は、高速録音を行うことなく、高速録音が禁止されている残時間を表示部１９に表示する（ステップＳ１８）。すなわち、処理制御部１１は、対象の禁止エリアの禁止（分）にセットされている値である残時間を表示部１９に表示する。処理制御部１１は、残時間を表示後、高速録音処理を終了する。
この表示により、利用者は、高速録音を指定した楽曲データが、現時点で高速録音が禁止された状態であることを判別でき、同時に、再度の高速録音を行うことができるまでの待ち時間も確認できる。
【００４１】
また、上述のステップＳ１７にてＴｎｏが一致しないと判別した場合、及び、ステップＳ１５にて同一の情報が存在しないと判別した場合に、処理制御部１１は、今回高速録音する楽曲データを管理するために、最小・最大Ｔｎｏ及びＴｏｔａｌ時間を録音管理テーブル３１に新規に追加する（ステップＳ１９）。すなわち、最小Ｔｎｏ〜Ｔｏｔａｌ（秒）までの情報を使用されていない禁止エリアにセットする。
【００４２】
処理制御部１１は、今回高速録音する対象の楽曲データが全トラック（全曲録音）であるか否かを判別し（ステップＳ２０）、全曲録音でないと判別した場合に、選択された楽曲データのトラック番号を、ステップＳ１９にて新規に情報を追加した禁止エリアの禁止Ｔｎｏにセットする（ステップＳ２１）。一方、全曲録音であると判別した場合に、処理制御部１１は、全曲録音を示す値である「ＡＡ」を、追加した禁止エリアの禁止Ｔｎｏにセットする（ステップＳ２２）。
【００４３】
そして、追加した禁止エリアの禁止（分）に予め定められた禁止時間（例えば、「７４」）をセットする（ステップＳ２３）。
【００４４】
処理制御部１１は、録音管理テーブル３１に上述の情報をセットすると、高速録音を開始する（ステップＳ２４）。すなわち、処理制御部１１は、ＣＤ用光ピックアップ１５等を制御して対象となるＣＤのトラックを高速再生し、得られた楽曲データを、磁気ヘッドドライバ２１等を介してＭＤに高速録音する。
【００４５】
このように、録音管理テーブル３１には、高速録音が禁止されているＣＤを識別する情報及び、禁止されている楽曲データを特定するための情報が記憶される。なお、録音管理テーブル３１には、禁止状態が解除されるまでの残り時間も管理され、この残り時間がなくなった際に、ＣＤを識別する情報及び、楽曲データを特定するための情報等が消去される。
そして、処理制御部１１は、録音管理テーブル３１を使用して、今回高速録音を行うＣＤの楽曲データが禁止状態であるか否かを適切に判別し、禁止状態でない場合にだけ、楽曲データの高速録音を行う。この結果、著作権等の保護を楽曲データ毎に図りつつ、各楽曲データを適切に高速録音することができる。
【００４６】
また、ＣＤを識別する情報及び、楽曲データを特定するための情報が、ＣＤのＴＯＣ情報から得られるため、録音再生装置１は、楽曲データを再生することなく、通常にＴＯＣ情報を読み込んだ際に、楽曲データ毎に高速録音が可能か否かを即座に判別することができる。
【００４７】
また、上記の実施の形態では、楽曲データをＭＤに録音する録音再生装置について説明したが、録音対象の媒体はＭＤに限られず、他にＭＯ（Magneto-Optical disk）、ＤＶＤ−ＲＡＭ（デジタルビデオディスク−ラム）等に楽曲データを録音するディスク録音装置等に適用可能である。更に、スマートメディア（商標）、メモリステック（商標）等の媒体に楽曲データを録音可能な録音装置等であってもよい。
【００４８】
なお、この発明の録音再生装置は、専用のシステムによらず、通常のコンピュータシステムを用いて実現可能である。例えば、楽曲データをＭＤに録音可能なＭＤドライブ等を備えたコンピュータに上述のいずれかを実行するためのプログラムを格納した媒体（フロッピーディスク、ＣＤ−ＲＯＭ等）から当該プログラムをインストールすることにより、上述の処理を実行する録音再生装置を構成することができる。
【００４９】
また、コンピュータにプログラムを供給するための媒体は、通信媒体（通信回線、通信ネットワーク、通信システムのように、一時的かつ流動的にプログラムを保持する媒体）でも良い。例えば、通信ネットワークの掲示板（ＢＢＳ）に当該プログラムを掲示し、これをネットワークを介して配信してもよい。
そして、このプログラムを起動し、ＯＳの制御下で、他のアプリケーションプログラムと同様に実行することにより、上述の処理を実行することができる。
【００５０】
【発明の効果】
以上説明したように、本発明によれば、著作権等の保護を楽曲データ毎に図りつつ、各楽曲データを適切に高速録音することができる。
【図面の簡単な説明】
【図１】本発明の実施の形態に係る録音再生装置の構成の一例を示すブロック図である。
【図２】（ａ）がメモリに記憶される録音管理テーブルの一例を示す模式図であり、（ｂ）が録音管理テーブルから情報が消去される様子を説明するための模式図である。
【図３】本発明の実施の形態に係る高速録音処理を説明するためのフローチャートである。
【符号の説明】
１    録音再生装置
１１  処理制御部
１２  信号処理回路
１３  ＭＤ用サーボ回路
１４  ＭＤ用光ピックアップ
１５  ＣＤ用光ピックアップ
１６  ＣＤ用サーボ回路
１７  タイマ
１８  キー入力部
１９  表示部
２０  メモリ
２１  磁気ヘッドドライバ
２２  ＤＡＣ
【図１】
0003944350.tif 000002
【図２】
0003944350.tif 000003
【図３】
0003944350.tif 000004